(57)【要約】【課題】  紙葉類の増減に応じて綴じ足の長さを容易に調整することができるファイル用の綴じ足及び該綴じ足を具備する背幅調整可能なファイルを提供する。【解決手段】  紙葉類に設けた二つの綴じ孔にそれぞれ挿通される可撓性を有する一組のファイル用の綴じ足であって、横断面が幅広の略矩形形状で且つ先端を先細りさせた帯状の綴じ足本体、及び該綴じ足本体の基端から略直交する方向に設けた係止基部と該係止基部の両端から該綴じ足本体に平行に設けた係止羽根からなる係止部を備えて形成され、綴じ足本体の上面には複数の凹溝が形成されるとともに、該綴じ足本体の基部にはその幅方向に切り込み溝が設けられ、且つ係止部の係止羽根の先端の外側側部にはそれぞれ小突起が設けられていることを特徴とするファイル用の綴じ足及び該綴じ足を取り付けた背幅調整可能なファイルとする。【選択図】図１
2008080574.tif 000002
【特許請求の範囲】
【請求項１】
紙葉類に設けた二つの綴じ孔にそれぞれ挿通される可撓性を有する一組のファイル用の綴じ足であって、
帯状の綴じ足本体、及び該綴じ足本体の基端から略直交する方向に設けた係止基部と該係止基部の両端から該綴じ足本体に平行に設けた係止羽根からなる係止部を備えて形成され、
綴じ足本体の上面には複数の凹溝が形成されるとともに、該綴じ足本体の基部にはその幅方向に切り込み溝が設けられ、且つ係止部の係止羽根の先端の外側側部にはそれぞれ小突起が設けられている
ことを特徴とするファイル用の綴じ足。
【請求項２】
表表紙と裏表紙からなり、該表表紙と裏表紙の一側にそれぞれ綴じ込み用フラップを備え、
該表表紙と裏表紙のいずれか一方の表紙にはその綴じ込み用フラップを介して背表紙を連設し、他方の表紙には該背表紙の側端部を挿入可能なように綴じ込み用フラップを備えた側に開口の背表紙挿入部が形成され、
前記表表紙と裏表紙のいずれか一方の表紙の綴じ込み用フラップには、紙葉類に設けた二つの綴じ孔位置に一致する二つの貫通孔又は挿通切り欠きが形成されて綴じ具本体が着脱可能に取り付けられ、
他方の表紙の綴じ込み用フラップには、紙葉類に設けた二つの綴じ孔位置に一致する２つの主取付孔と、一組の綴じ足を貫通させてその綴じ足の係止基部が係止可能な第１取付孔及び第２取付孔とが同一線上に形成されて、
請求項１に記載のファイル用の綴じ足を前記第１取付孔、第２取付孔、及び主取付孔を貫通して各々の係止部が第１取付孔又は第２取付孔で係止するように取り付けられ、且つ該綴じ足の長さを第１取付孔から主取付孔側のファイル端部までの長さよりも僅かに短くしている
ことを特徴とする背幅調整可能なファイル。
【請求項３】
第１取付孔を、係止基部の幅と略等しい幅と係止羽根の長さと略等しい長さを有する略矩形形状の長孔であって、長さ方向の一端に係止基部の幅よりも小さな幅の切り欠きを有する貫通孔として形成し、
この第１取付孔の切り欠きが外側を向くように２個の第１取付孔を綴じ込み用フラップの略中央に近接させて配置し、該２個の第１取付孔の各々外側に各１個の第２取付孔を、該第２取付孔の各々外側に各１個の主取付孔をそれぞれ配置したことを特徴とする請求項２に記載の背幅調整可能なファイル。
【請求項４】
第１取付孔を、係止基部の幅と略等しい幅と係止羽根の長さと略等しい長さを有する略矩形形状の長孔であって、長さ方向の両端に係止基部の幅よりも小さな幅の切り欠きを有する１個の貫通孔として形成し、
この第１取付孔を綴じ込み用フラップの略中央に配置し、該第１取付孔の両外側に各１個の第２取付孔を、該第２取付孔の各々外側に各１個の主取付孔をそれぞれ配置した
ことを特徴とする請求項２に記載の背幅調整可能なファイル。
【請求項５】
背表紙の側端部には折り返された脱落防止部を設け、背表紙挿入部が形成された表紙の綴じ込み用フラップには紙葉類に設けた二つの綴じ孔位置に一致する二つの挿通切り欠きを形成するとともにその基端部には折り返し片を設け、該折り返し片には、紙葉類に設けた二つの綴じ孔位置に一致する二つの貫通孔を形成することを特徴とする請求項２乃至４のいずれかに記載の背幅調整可能なファイル。
【発明の詳細な説明】
【技術分野】
【０００１】
本発明は、書類等の紙葉類の増減に応じて背幅の調整を行うことが可能なファイルに使用する綴じ足、及び該綴じ足を具備する背幅調整可能なファイルに関する。
【背景技術】
【０００２】
従来より、紙葉類に形成された綴じ孔に綴じ足を挿通して該紙葉類を綴じる態様のファイルが知られている。なかでも背表紙の幅を変化させ、綴じる紙葉類の量に対応することのできるファイルが種々提案されている。背表紙の幅を変化させるファイルは、例えば、表表紙と裏表紙を互いに分離させて、表表紙の一側に任意幅の背表紙を一体に形成し、裏表紙はその一側が開口を有する袋状として形成して構成されている。そして背表紙の側端部を裏表紙の開口内に挿入した状態で紙葉類を挟み込むものである。この構成により、裏表紙に挿入する背表紙の量に応じて表出する背表紙の幅が変化するので、綴じる紙葉類の量を自由に変更することができる。
【０００３】
また、表表紙と裏表紙には、紙葉類を押さえるための綴じ込み用フラップが設けられており、該綴じ込み用フラップには該紙葉類に形成された綴じ孔と略同じ位置に貫通孔が設けられている。裏表紙の綴じ込み用フラップの貫通孔から綴じ足を挿入して紙葉類を挟み込み、表表紙の綴じ込み用フラップ側で該綴じ足を綴じ具本体で係止する。
【０００４】
背表紙の幅を変化させるファイルに使用する綴じ足は、綴じる紙葉類の増加に対応できる十分な長さが必要である。綴じ足を多くの紙葉類を挟み込めるように予め長くしておくと、挟み込む紙葉類が少ないときに綴じ足が表紙からはみ出してしまい、見栄えが悪くなるとともに収納に不具合が生じてしまう。
【０００５】
綴じる紙葉類の量に対応して綴じ足の長さを調整できるようにしたものとして、例えば、連結片で一体に連結された一対の綴じ足を、紙葉類の量が増えた場合には該連結片で切断して２本に分けて綴じ足を延長するようにしたものが提案されている（例えば、特許文献１参照）。また、紙葉類の一方の面に当接される裏当て部材に、綴じ足を挿通させる取付孔と弾性変形可能な保持部とを形成し、この保持部に綴じ足の余長部位を係脱させることで紙葉類の量に対応して綴じ足の長さを調整するファイルが提案されている（例えば、特許文献２参照）。
【特許文献１】特許第３０９５６９０号公報
【特許文献２】特開２００６−９５９６４号公報
【発明の開示】
【発明が解決しようとする課題】
【０００６】
前述のような一体に形成された綴じ足を切断する態様の場合、一旦連結片を切断してしまうと再び連結することができないため、紙葉類の量が減ったときに綴じ足の先端がファイルからはみ出してしまうという不具合があった。また、綴じ足の余長部位を保持部に係脱させて綴じ足の長さを調整する場合は、その余長部位の調節が複雑で係脱に手間取ることがあった。
【０００７】
本発明は、上記課題に鑑みてなされたもので、紙葉類の増減に応じて綴じ足の長さを容易に調整することができるファイル用の綴じ足及び該綴じ足を具備する背幅調整可能なファイルを提供することを目的としている。
【課題を解決するための手段】
【０００８】
本発明に係るファイル用の綴じ足は、紙葉類に設けた二つの綴じ孔にそれぞれ挿通される可撓性を有する一組のファイル用の綴じ足であって、帯状の綴じ足本体、及び該綴じ足本体の基端から略直交する方向に設けた係止基部と該係止基部の両端から該綴じ足本体に平行に設けた係止羽根からなる係止部を備えて形成され、綴じ足本体の上面には複数の凹溝が形成されるとともに、該綴じ足本体の基部にはその幅方向に切り込み溝が設けられ、且つ係止部の係止羽根の先端の外側側部にはそれぞれ小突起が設けられていることを特徴とする。
【０００９】
また、本発明に係る背幅調整可能なファイルは、表表紙と裏表紙からなり、該表表紙と裏表紙の一側にそれぞれ綴じ込み用フラップを備え、該表表紙と裏表紙のいずれか一方の表紙にはその綴じ込み用フラップを介して背表紙を連設し、他方の表紙には該背表紙の側端部を挿入可能なように綴じ込み用フラップを備えた側に開口の背表紙挿入部が形成され、前記表表紙と裏表紙のいずれか一方の表紙の綴じ込み用フラップには、紙葉類に設けた二つの綴じ孔位置に一致する二つの貫通孔又は挿通切り欠きが形成されて綴じ具本体が着脱可能に取り付けられ、他方の表紙の綴じ込み用フラップには、紙葉類に設けた二つの綴じ孔位置に一致する２つの主取付孔と、一組の綴じ足を各々貫通させてその綴じ足の係止基部が係止可能な第１取付孔及び第２取付孔とが同一線上に形成されて、上記した綴じ足が綴じ込み用フラップに形成された第１取付孔、第２取付孔、及び主取付孔に貫通して各々の係止部が第１取付孔又は第２取付孔で係止するように取り付けられ、且つ該綴じ足の長さを第１取付孔から主取付孔側のファイル端部までの長さよりも僅かに短い長さとして構成していることを特徴とする。
【００１０】
また、第１取付孔を、係止基部の幅と略等しい幅と係止羽根の長さと略等しい長さを有する略矩形形状の長孔であって、長さ方向の一端に係止基部の幅よりも小さな幅の切り欠きを有する貫通孔として形成し、この第１取付孔の切り欠きが外側を向くように２個の第１取付孔を綴じ込み用フラップの略中央に近接させて配置し、該２個の第１取付孔の各々外側に各１個の第２取付孔を、該第２取付孔の各々外側に各１個の主取付孔をそれぞれ配置するのが好ましい。
【００１１】
また、第１取付孔を、係止基部の幅と略等しい幅と係止羽根の長さと略等しい長さを有する略矩形形状の長孔であって、長さ方向の両端に係止基部の幅よりも小さな幅の切り欠きを有する１個の貫通孔として形成し、この第１取付孔を綴じ込み用フラップの略中央に配置し、該第１取付孔の両外側に各１個の第２取付孔を、該第２取付孔の各々外側に各１個の主取付孔をそれぞれ配置しても良い。
【００１２】
そして、本発明に係る背幅調整可能なファイルは、背表紙の側端部に折り返された脱落防止部を設け、背表紙挿入部が形成された表紙の綴じ込み用フラップに紙葉類に設けた二つの綴じ孔位置に一致する二つの挿通切り欠きを形成するとともにその基端部に折り返し片を設け、該折り返し片には、紙葉類に設けた二つの綴じ孔位置に一致する二つの貫通孔を形成することとする。
【発明の効果】
【００１３】
本発明のファイル用の綴じ足及び該綴じ足を備えた背幅調整可能なファイルは、綴じ足の係止部の係止位置を移動させることにより引き出す綴じ足の長さを調整できるため、紙葉類の増減に対応することができる。また、綴じ足の係止部の係止位置の移動を紙葉類を綴じ込んだ状態で容易に行うことができる。
【発明を実施するための最良の形態】
【００１４】
本発明のファイルの綴じ足は、横断面が幅広の略矩形形状で且つ先端を先細りさせた帯状の綴じ足本体、及び該綴じ足本体の基端から略直交する方向に設けた係止基部と該係止基部の両端から該綴じ足本体に平行に設けた係止羽根からなる係止部を備えて構成され、綴じ足本体の上面には複数の凹溝が形成されるとともに綴じ足本体の基部にはその幅方向に切り込み溝が設けられ、且つ係止部の係止羽根の先端の外側側部にはそれぞれ小突起が設けられている、可撓性を有する一組の綴じ足である。
【００１５】
そして、この綴じ足を取り付ける本発明の背幅調整可能なファイルは、表表紙と裏表紙からなり、該表表紙と裏表紙の一側にそれぞれ綴じ込み用フラップを備え、裏表紙に背表紙をその綴じ込み用フラップを介して連設し、表表紙には該背表紙の側端部を挿入可能なように綴じ込み用フラップを備えた側に開口の背表紙挿入部を形成している。そして、表表紙の綴じ込み用フラップには、紙葉類に設けた二つの綴じ孔位置に一致する二つの挿通切り欠きを形成し、その綴じ込み用フラップの基端部には折り返し片を設ける。また、裏表紙の綴じ込み用フラップには、１個の第１取付孔を綴じ込み用フラップの略中央に配置し、該１個の第１取付孔の両外側に各１個の第２取付孔を、該第２取付孔の各々外側に各１個の主取付孔を設けることとしてそれぞれ同一線上に配置するとともに、各々主取付孔の位置が紙葉類に設けた二つの綴じ孔位置に一致するようにしている。そして、表表紙の綴じ込み用フラップに綴じ具本体を、裏表紙の綴じ込み用フラップに上記した綴じ足を備えてなるものである。
【実施例】
【００１６】
以下、本発明のファイルの綴じ足及び該綴じ足を具備する背幅調整可能なファイルの実施例について図面に基づき、詳細に説明する。尚、本発明は下記実施例になんら制限されるものではない。
【００１７】
本発明の第１実施例に係る背幅調整可能なファイルは、図１に示したように、表表紙1と、背表紙3を連設した裏表紙2とからなり、表表紙1に備えられた綴じ込み用フラップ4に綴じ具本体8を取り付け、裏表紙2に備えられた綴じ込み用フラップ6に綴じ足9を取り付けて構成される。
【００１８】
表表紙1及び裏表紙2は、Ａ版、Ｂ版など紙葉類の規格に合わせた大きさの矩形形状とし、綴じ込み用フラップ4,6は、それぞれ表表紙1と裏表紙2の綴じ合わせ側の側辺に表紙の上端から下端に至る帯状の長方形として形成されている。
【００１９】
裏表紙2には、図２に示したように、裏表紙2の一側を山折りにして形成した綴じ込み用フラップ6と、該綴じ込み用フラップ6を挟んで裏表紙2と反対側に延設した背表紙3が一体に連設されている。そして、背表紙3の側端部辺にはファイル高さよりも短い長さの脱落防止部7を設け、背表紙3との連設辺で谷折りの折り目が付けられ、図１に示したように背表紙3側に折り返された状態とされる。
【００２０】
また、裏表紙2の綴じ込み用フラップ6には、複数の取付孔が同一線上に形成されている。本第１実施例において、図２に示したように、１個の第１取付孔21を綴じ込み用フラップ6の略中央に配置し、該第１取付孔21の両外側に第２取付孔22を対称位置に配置している。そして、各々第２取付孔22の外側に主取付孔23を対称位置に配置している。ここで、主取付孔23は、紙葉類に設けた二つの綴じ孔位置にほぼ一致する位置に形成されている。第１取付孔21は、側面から見たときに、後述する綴じ足9の係止基部63の幅と略等しい幅と、同じく綴じ足9の係止羽根64の長さと略等しい長さを有する略矩形形状の長孔であって、綴じ込み用フラップ6の長手方向の両端辺に該係止基部63の幅よりも小さな幅の切り欠きを設けてなる貫通孔である。綴じ込み用フラップ6の長手方向において第１取付孔21の両外端に配置される第２取付孔22、及び該第２取付孔22の各々外側に配置される主取付孔23は、後述する綴じ足9の綴じ足本体61の横断面の外径とほぼ等しいか僅かに大きい形状で、綴じ込み用フラップ6の幅方向に長い貫通孔として形成されている。
【００２１】
ここで、第１実施例として第１取付孔21を１個の貫通孔としたが、２個の貫通孔とすることもできる。その場合は、第１取付孔21を係止基部63の幅と略等しい幅と、係止羽根64の長さと略等しい長さを有する略矩形形状の長孔であって、綴じ込み用フラップ6の長手方向の一端辺に係止基部63の幅よりも小さな幅の切り欠きを有する一対の貫通孔とし、この切り欠きが外側を向くように該一対の第１取付孔21を綴じ込み用フラップ6の略中央に近接させて配置する。
【００２２】
表表紙1には、図３に示したように、表表紙1の一側を山折りにして綴じ込み用フラップ4を形成し、他側を該綴じ込み用フラップ4の基底部付近まで折り返して、表表紙1の綴じ込み用フラップ4を設けた側に開口の背表紙挿入部10を形成している。また、綴じ込み用フラップ4の基底部にはファイル高さよりも短い長さの折り返し片5を設けている。
【００２３】
表表紙1の綴じ込み用フラップ4には、紙葉類に設けた二つの綴じ孔位置にそれぞれ一致する位置に綴じ込み用フラップ4の上端部側から矩形状の挿通切り欠き13が形成されている。また、綴じ込み用フラップ4の略中央には、後述する綴じ具本体8の第１係止部片55が挿入可能な形状で第１貫通孔11が形成され、２つの挿通切り欠き13の各々の外側位置には、該綴じ具本体8の第２係止部片57がそれぞれ挿入可能な形状で各々１個の第２貫通孔12が形成されている。
【００２４】
そして、表表紙1の綴じ込み用フラップ4の基底部に設けられた折り返し片5は、該綴じ込み用フラップ4と略等しい幅にて形成されている。そして、該綴じ込み用フラップ4の側面と当接するように連接辺で谷折りに折り返したときに紙葉類に設けた二つの綴じ孔位置にそれぞれ一致する位置に、第３貫通孔14が設けられている。また、図５に示したように、背表紙3を表表紙1の背表紙挿入部10の開口に収容する際に、折り返し片5も背表紙挿入部10の開口内に収容され、背表紙3が不用意に表表紙1から抜け出ることを防止する。
【００２５】
ここで、第１実施例として紙葉類に設けた二つの綴じ孔位置にそれぞれ一致する位置を含むように綴じ込み用フラップ4の上端部側から挿通切り欠き13を形成したが、貫通孔を形成することもできる。この場合、貫通孔は紙葉類に設けた二つの綴じ孔位置にそれぞれ一致する位置に形成する。尚、この貫通孔は、折り返し片5を綴じ込み用フラップ4側に折り返したときに折り返し片5に設けられた第３貫通孔14と同じ位置に形成されるものとする。
【００２６】
裏表紙2に取り付けられる綴じ足9は可撓性を有し、図６に示したように、横断面が幅広の略矩形形状で且つ先端が先細りした帯状の綴じ足本体61と、該綴じ足本体61の基端から略直交する方向に設けた係止基部63と該係止基部63の両端から該綴じ足本体61に平行に設けた係止羽根64とからなる係止部62とから構成される。綴じ足本体61は、図示しないが、その長手方向の各辺を面取り処理しておくことが好ましい。これは、裏表紙2の綴じ込み用フラップ6に設けられた取付孔や紙葉類に設けた綴じ孔に挿通する際に該取付孔や綴じ孔を破損させたり、また、取り扱い中に誤って怪我をするのを防ぐためである。そして、係止部62の係止羽根64の先端の外側側部にはそれぞれ小突起65が設けられている。
【００２７】
このように構成した綴じ足9を２本一組として使用する。それぞれの綴じ足本体61は、綴じ込みに必要な所要長さを有し、取り付けるファイルの裏表紙2の綴じ込み用フラップ6に形成された第１取付孔21から第２取付孔22、及び主取付孔側23のファイル端部までの長さよりも僅かに短い長さとする。これは、綴じ足9を裏表紙2の綴じ込み用フラップ6に取り付けたときに綴じ足本体61の先端がファイルからはみ出さないようにするためである。
【００２８】
綴じ足本体61の上面には複数の凹溝66が等間隔で形成されるとともに、該綴じ足本体61の基部に側面視が略Ｖ字形状やＵ字形状の切り込み溝67が形成されている。凹溝66は、綴じ足本体61を綴じ具本体8で係止した際に、綴じ具本体8の係止突起46と係合して綴じ足本体61のすべりを防止するとともに、裏表紙2の綴じ込み用フラップ6に綴じ足本体61を取り付ける際に柔軟に折り曲げができるように形成されている。そして、切り込み溝67は、係止部62が確実に第１取付孔21又は第２取付孔22に係止するのを補助するために形成されている。
【００２９】
また、係止部62は前記綴じ足本体61の基端に略直交する方向に設けられた係止基部63と、該係止基部63の両端から該綴じ足本体61に平行に設けた係止羽根64とから構成され、係止羽根64の先端の外側側部にはそれぞれ小突起65が設けられている。該小突起65は、綴じ足本体61の側面と係止羽根64の側面との間隙と略等しいかそれより小さい幅で形成される。これは、該小突起65を両側から挟み係止羽根64の内側側面が綴じ足本体61の側面に接触する程度の力を加えたときに、小突起65の先端同士の幅が係止基部63の幅と略等しくなるようにするためである。これにより、裏表紙2の綴じ込み用フラップ6に設けられた第１取付孔21から綴じ足9の係止部62が抜き差し可能となる。
【００３０】
表表紙1に取り付けられる綴じ具本体8は、図７及び図８に示すように、操作部31をベース部材41にスライド可能に係合させて構成している。
【００３１】
操作部31は、一対の第１操作部32と第２操作部33と、該第１操作部32と第２操作部33の外側基端部に連設される第１綴じ足押え部34と第２綴じ足押え部35と、これらを連結するヒンジ部とから構成される。第１操作部32と第２操作部33は、上面から見て先端が広がったへら状に形成された肉厚の部材であり、その先端は略中央に切り欠きが形成された上面視Ｙ字形状である。
【００３２】
第１綴じ足押え部34と第２綴じ足押え部35は、一側が第１操作部32と第２操作部33の基端部とほぼ等しい幅にて形成された矩形状の上面板と、該上面板の下面の長手方向に側辺に沿ってそれぞれ下向きに形成された側面板とで形成され、その部材高さは第１操作部32と第２操作部33の厚みとほぼ同じとされる。また、第１綴じ足押え部34と第２綴じ足押え部35の側面板の下方外側側面には、それぞれ外側に突出したスライド係合片40が設けられている。そして、上面板の外側基端部には、綴じ足9の綴じ足本体61の幅よりも一回り大きい切り欠き39が形成されている。
【００３３】
第１操作部32と第１綴じ足押え部34、第２操作部33と第２綴じ足押え部35は、それぞれヒンジ片38を介して連結されている。該ヒンジ片38は薄肉の部材であり、第１操作部32と第１綴じ足押え部34、第２操作部33と第２綴じ足押え部35の上面部分を連結している。これにより、図８に示したように、第１操作部32と第１綴じ足押え部34、第２操作部33と第２綴じ足押え部35は、それぞれ谷折りに屈曲することができる。
【００３４】
そして、第１操作部32と第２操作部33は、主ヒンジ部36と補助ヒンジ部37によって連結されている。主ヒンジ部36は、第１操作部32と第２操作部33の先端の両端部において第１操作部32と第２操作部33の下面部分を連結している。そして、補助ヒンジ部37は側面視Ｖ字形状であって、その上端辺が第１操作部32と第２操作部33の先端部の中央切り欠き部分において第１操作部32と第２操作部33の上面部分を連結している。従って、図８に示したように、第１操作部32と第２操作部33は主ヒンジ部36と補助ヒンジ部37によって山折りに屈曲する。補助ヒンジ部37は、側面視Ｖ字形状として構成してあるため、第１操作部32と第２操作部33の先端が上方に持ち上げられると該補助ヒンジ部37の第１操作部32と第２操作部33との連結基点間の距離が伸び、更に第１操作部32と第２操作部33の先端を持ち上げると該連結基点間の距離が持ち上げ前の状態にほぼ等しくなる。従って、操作部31を持ち上げたときに第１操作部32と第２操作部33が安定して立ち上がる。
【００３５】
ベース部材41は、両端が略半円形状に形成された帯状のベース基板42と、該ベース基板42の両側に沿って設けられた一対の第１支持壁51と、一対の第２支持壁52、一対の第３支持壁53、及び該ベース基板42の一側に設けられた第１係止片54と一対の第２係止片56とで構成されている。
【００３６】
図７（ｂ）に示したように、ベース基板42の一側には矩形の切り欠き43が側方に開口するように該ベース基板42の中心からほぼ等しい位置に２箇所形成されている。該切り欠き43は、紙葉類に設けた二つの綴じ孔位置に一致する位置に形成されており、上述した表表紙1の綴じ込み用フラップ4の挿通切り欠き13と略同じ形状で同じ大きさとされる。そして、ベース基板42の略中心であって、前記切り欠き43が形成された側とは反対の側辺近傍に、第１係止片54に設けられる第１係止部片55を係止するための第１係止孔44が形成されている。また、ベース基板42の両端付近には、第２係止片56に設けられた第２係止部片57を係止するための第２係止孔45が形成されている。そして、図８に示したように、ベース基板42の上面には、前記切り欠き43の外側に複数の係止突起46が並設されている。該係止突起46は綴じ足9の綴じ足本体61に形成された凹溝66に嵌め合う形状と間隔で設けられている。
【００３７】
第１支持壁51は、ベース基板42の上面において第１係止孔44の両外側に該ベース基板42の長手方向に形成されている。該第１支持壁51は、断面が逆Ｌ字状で該ベース基板42のほぼ中央部分において分離された側壁で、その外側端部が鍵状になっている。第２支持壁52は、ベース基板42の上面において該ベース基板42に形成された切り欠き43の両外側に、ベース基板42の側辺に沿って形成されている。該第２支持壁52は、断面が逆Ｌ字状の側壁で、外側端部が鍵状になっている。第３支持壁53は、ベース基板42の上面において該ベース基板42に形成された切り欠き43の内側にベース基板42の側辺に沿って形成されている。該第３支持壁53は、断面が逆Ｌ字状で該ベース基板42のほぼ中央部分において分離された側壁として形成されている。第１支持壁51と、第２支持壁52及び第３支持壁53は、前記第１綴じ足押え部34と第２綴じ足押え部35の両側壁を挟むように配置され、第１綴じ足押え部34と第２綴じ足押え部35のスライド係合片40が、第１支持壁51、第２支持壁52及び第３支持壁53の内壁と係合して第１綴じ足押え部34と第２綴じ足押え部35をスライド移動させるとともに、第１支持壁51と第２支持壁52の鍵状部分で第１綴じ足押え部34と第２綴じ足押え部35の外側基端部を着止する。
【００３８】
第１係止片54は、ベース基板42の切り欠き43が形成されている側にその略中央に設けられている。該第１係止片54は薄肉の板状部材で、ベース基板42の側面にヒンジを介して連結されている。そして、第１係止片54の下面の先端には第１係止部片55が設けられている。第２係止片56は、第１係止部片54と同じ側であって切り欠き43の開口の外側に、ヒンジを介して連結されている。第２係止片56は、薄肉の板状部材で、該第２係止片56の下面には第２係止部片57が設けられている。第１係止片54に設けられた第１係止部片55と第２係止片56に設けられた第２係止部片57は、ベース基板42に形成された第１係止孔44と第２係止孔45にそれぞれ係合する位置に設けられている。
【００３９】
上記構成した操作部31とベース部材41を、操作部31の第１綴じ足押え部34と第２綴じ足押え部35をベース部材41の第１支持壁51と第３支持壁53の間に、そのスライド係合片40が嵌め合うように内側から挿入する。図７（ａ）に示したように、操作部31を完全に押し下げた状態のときは、第１綴じ足押え部34と第２綴じ足押え部35の基端部は第１支持壁51と第２支持壁52の鍵状部分で着止される。このとき、操作部31によってベース基板42に形成された切り欠き43は閉塞された状態となっている。そして図８に示したように、第１綴じ足押え部34と第２綴じ足押え部35の先端を持ち上げて操作部31を立てた状態のときは、第１綴じ足押え部34と第２綴じ足押え部35が互いに内側方向に摺動し、切り欠き43が開いた状態となる。
【００４０】
上記した構成の綴じ具本体8及び綴じ足9を、綴じ具本体8を表表紙1の綴じ込み用フラップ4に、綴じ具9を裏表紙2の綴じ込み用フラップ6に取り付けて使用する。
【００４１】
綴じ具本体8は、図９に示したように、第１係止片54の第１係止部片55と第２係止片56の第２係止片57がベース基板42の第１係止孔44と第２係止孔45から離脱した状態で、ベース基板42に形成された切り欠き43を表表紙1の綴じ込み用フラップ4に形成された挿通切り欠き13に一致させるようにして、ベース基板42の下面を綴じ込み用フラップ4の紙葉類と当接しない面に添える。次に、第１係止片54の第１係止部片55を綴じ込み用フラップ4の第１貫通孔11に紙葉類と当接する側から挿入して第１係止孔44に係止させる。同様に、第２係止片56の第２係止部片57を第２貫通孔12に紙葉類と当接する側から挿入して第２係止孔45に係止させる。このように、綴じ込み用フラップ4をベース基板42と第１係止片54及び第２係止片56とで挟み込むようにして、綴じ具本体8を表表紙1の綴じ込み用フラップ4に取り付ける。
【００４２】
綴じ足9は、図１０に示したように、まず、綴じ足本体61を裏表紙2の綴じ込み用フラップ6の第１取付孔21に紙葉類と当接しない面側から挿入する。このとき綴じ足本体61の凹溝66が形成された上面が外側を向くようにして挿入する。次に、第２取付孔22から綴じ足本体61の先端を引き出し、続いて主取付孔23より挿入する。主取付孔23から引き出された綴じ足本体61を、係止部62が第１取付孔21に係止するまで引き出す。完全に綴じ足本体61を引き出した状態で、係止部62が綴じ込み用フラップ6の紙葉類と当接しない側に表出する。
【００４３】
次に、綴じ足9を綴じ具本体8へ係止させる方法について説明する。
図４に示したように、綴じ具本体8を表表紙1の綴じ込み用フラップ4に取り付け、綴じ足9を裏表紙2の綴じ込み用フラップ6に取り付けた状態で、裏表紙2に連設された背表紙3の側端部を表表紙1の背表紙挿入部10に挿入する。このとき、表表紙1の折り返し片5は、図５に示したように、表表紙1の背表紙挿入部10内に折り返しておく。折り返し片5を背表紙挿入部10内に折り返すことにより、背表紙3に連設された脱落防止部7が該折り返し片5に係止し、不用意に背表紙3が表表紙1から引き抜かれることを防止する。そして、綴じ具本体8は操作部31を立ち上げ、綴じ具本体8の切り欠き43と表表紙1の綴じ込み用フラップ4の挿通切り欠き13が互いに挿通可能に開放された状態にしておく。
【００４４】
次に、裏表紙2の綴じ込み用フラップ6の主取付孔23から引き出された２本の綴じ足本体61を表表紙1の綴じ込み用フラップ4の挿通切り欠き13にその切り欠いた側から挿通する。その後、綴じ具本体8の操作部31を押し下げ、第１綴じ足押え部34と第２綴じ足押え部35を外側にスライドさせる。すると、綴じ足本体61が第１綴じ足押え部34と第２綴じ足押え部35の切り欠き39に嵌合するとともに外側へ屈曲し、該綴じ足本体61の上面に形成された凹溝66が、ベース基板42の上面に設けられた係止突起46と係合する。完全に操作部31を押し下げると、綴じ足本体61はその先端を外側に向けて係止する。
【００４５】
本発明において、ファイルを使用中に綴じ込む紙葉類の量が多くなる場合は、綴じ足9の係止部62が係止する取付孔の位置をずらすことにより対応することができる。即ち、図１１に示したように、係止部62を第２取付孔22に係止させることで第１取付孔21と第２取付孔22の長さ分だけ綴じ込み用フラップ6の主取付孔23から引き出される綴じ足本体61を長くすることができる。
【００４６】
綴じ足9の係止部62を第１取付孔21から第２取付孔22へ移動させる方法として、まず、綴じ具本体8の操作部31の中央を持ち上げて、第１綴じ足押え部34と第２綴じ足押え部35を内側に相対移動させ、綴じ足本体61の係止を開放する。次に、裏表紙2の綴じ込み用フラップ6の紙葉類と当接しない側に表出した係止部62を少し引き出す。その後、係止部62の係止羽根64を両側から挟んで加圧するとともに、係止羽根64の先端部分を第１取付孔21に嵌め込む。その後、綴じ足本体61の先端を引くと係止部62が第１取付孔21内を通って綴じ込み用フラップ6の紙葉類と当接する側に移動し、第２取付孔22に綴じ足本体61の基部が係止する。
【００４７】
このように、主取付孔23から引き出される綴じ足本体61の長さを長くすることによって、挟み込みことのできる紙葉類を増やすことができ、該紙葉類の厚みに対応して背表紙3を引き出すことで背表紙3の幅を自由に調整することができる。引き出される綴じ足本体61の長さの変更と背表紙3の表表紙1からの引き出しは、ファイルに紙葉類を綴じ込んだ状態で容易に行うことができる。
【００４８】
本発明において、綴じ具により紙葉類Pを綴じ込んだ後に、綴じ紐Bを用いて該紙葉類Pを綴じ直し、ファイルに取り付けられた綴じ具本体8と綴じ足9を取り外すことができる。綴じ込む紙葉類の量が決まった場合に綴じ具に代わり綴じ紐Bで紙葉類Pを綴じることにより、取り外した綴じ具本体8と綴じ足9は別のファイルに再利用できるとともに、綴じ具本体8の厚みを減らしてファイルを保存する場所を少なくすることができる。
【００４９】
綴じ紐Bにより紙葉類Pを綴じ込む方法として、まず綴じ具本体8の操作部31を立ち上げ、綴じ足本体61の係止を開放し、図１２（ａ）に示したように、裏表紙2の綴じ込み用フラップ6の第１取付孔21に係止した一方の綴じ足9の係止部62をつまんで綴じ足9を外側へ引き抜く。次に、主取付孔23に綴じ紐Bの先端を挿入し、表表紙1の綴じ込み用フラップ4側から引き出す。その後、図１２（ｂ）に示したように、他方の綴じ足9も同様に引き抜き、綴じ紐Bの他端を主取付孔23に挿入して表表紙1の綴じ込み用フラップ4側から引き出す。
【００５０】
次に、図示しないが表表紙1の綴じ込み用フラップ4に取り付けられた綴じ具本体8を取り外し、図１３（ａ）に示したように、紙葉類Pと裏表紙2の綴じ込み用フラップ6を片手で挟んで背表紙3を引き出して表表紙1の背表紙挿入部10内に挿入されていた表表紙1の綴じ込み用フラップ4の基底部に設けられた折り返し片5を引き出す。その後、図１３（ｂ）に示したように、引き出した折り返し片5を立ち上げて綴じ込み用フラップ4に当接させる。
【００５１】
その後、図１４（ａ）に示したように、折り返し片5を立ち上げた状態で、綴じ紐Bの先端をそれぞれ対応する折り返し片5の第３貫通孔14に挿入する。その後、図１４（ｂ）に示したように、背表紙3を再び表表紙1の開口に挿入して、背表紙3の幅を紙葉類Pの厚みと等しくなるように調整し、表表紙1の綴じ込み用フラップ4を紙葉類Pに当接させて綴じ紐Bの両端を結ぶ。
【００５２】
以上の操作により、綴じ具による綴じ込みの後に綴じ紐Bにより紙葉類Pを綴じ直すことにより、綴じ具本体8と綴じ足9を別のファイルに付け替えて使用することが可能となる。
【００５３】
本発明のその他の態様として、図１５に示したように、第１取付孔21を２つの第１取付孔21として配置することができる。例えば、図１５（ａ）に示したように、２個の第１取付孔21の各々外側に第２取付孔22と主取付孔23を対称に形成し、綴じ足9を第１取付孔21から挿入して第２取付孔22、主取付孔23を貫通させ、係止部62を第１取付孔21に係止させる。また、図１５（ｂ）に示したように、２個の第１取付孔を外側に配置し、第２取付孔22と主取付孔23を該第１取付孔の内側に対称に形成する。そして綴じ足9を第１取付孔21から挿入して第２取付孔22、主取付孔23を貫通させ、係止部62を第１取付孔21に係止させる。いずれの場合においても紙葉類Pに設けられる二つの綴じ孔と主取付孔23の位置が一致するようにする。このように配置した取付孔に、綴じ足本体61の長さが第１取付孔21から第２取付孔22、及び主取付孔23側のファイル端部までの長さよりも僅かに短い綴じ足9を取り付けることで、紙葉類Pの量の増減に対応できるファイルとすることができる。
【図面の簡単な説明】
【００５４】
【図１】本発明の第１実施例としての綴じ足を備えたファイルを示す図である。
【図２】図１のファイルの裏表紙の斜視図である。
【図３】図１のファイルの表表紙の斜視図である。
【図４】図１のファイルの使用形態を示す図である。
【図５】図４におけるＡ−Ａ´断面図である。
【図６】本発明の綴じ足の斜視図である。
【図７】（ａ）は本発明の第１実施例に使用する綴じ具本体の平面図であり、（ｂ）は該綴じ具本体の底面図である。
【図８】図７の綴じ具本体の操作部を持ち上げた上体を示す斜視図である。
【図９】図７の綴じ具本体の表表紙への取り付けを説明する図である。
【図１０】綴じ足の取り付けを説明する図である。
【図１１】綴じ足を係止する第２の取り付け状態を示す図である。
【図１２】綴じ足を引き抜いた後に紐綴じをする工程を説明する図である。
【図１３】綴じ足を引き抜いた後に紐綴じをする工程を説明する図である。
【図１４】綴じ足を引き抜いた後に紐綴じをする工程を説明する図である。
【図１５】第２及び第３の実施例としての取付孔及び該取付孔への綴じ足の取り付け状態を説明する図である。
【符号の説明】
【００５５】
１        表表紙                    ２        裏表紙  
３        背表紙
４        綴じ込み用フラップ        ５        折り返し片
６        綴じ込み用フラップ        ７        脱落防止部
８        綴じ具本体                ９        綴じ足
１０      背表紙挿入部
１１      第１貫通孔                １２      第２貫通孔
１３      挿通切り欠き              １４      第３貫通孔
２１      第１取付孔                ２２      第２取付孔  
２３      主取付孔
３１      操作部                    ３２      第１操作部  
３３      第２操作部                ３４      第１綴じ足押え部
３５      第２綴じ足押え部          ３６      主ヒンジ部
３７      補助ヒンジ部              ３８      ヒンジ片
３９      切り欠き                  ４０      スライド係合片
４１      ベース部材                ４２      ベース基板
４３      切り欠き                  ４４      第１係止孔
４５      第２係止孔                ４６      係止突起
５１      第１支持壁                ５２      第２支持壁
５３      第３支持壁                ５４      第１係止片
５５      第１係止部片              ５６      第２係止片
５７      第２係止部片              
６１      綴じ足本体                ６２      係止部
６３      係止基部                  ６４      係止羽根
６５      小突起                    ６６      凹溝
６７      切り込み溝
Ｂ        綴じ紐
Ｐ        紙葉類
【図１】
2008080574.tif 000003
【図２】
2008080574.tif 000004
【図３】
2008080574.tif 000005
【図４】
2008080574.tif 000006
【図５】
2008080574.tif 000007
【図６】
2008080574.tif 000008
【図７】
2008080574.tif 000009
【図８】
2008080574.tif 000010
【図９】
2008080574.tif 000011
【図１０】
2008080574.tif 000012
【図１１】
2008080574.tif 000013
【図１２】
2008080574.tif 000014
【図１３】
2008080574.tif 000015
【図１４】
2008080574.tif 000016
【図１５】
2008080574.tif 000017